(57)【要約】【課題】乗りかご内に虫が入り込んだ場合にこれを駆除して乗りかご内の快適な空間を確保する。【解決手段】乗りかご１１内に噴射ボタン２３に設置しておく。乗りかご１１の運転中に、この噴射ボタン２３が押下操作されたとき、害虫駆除システム制御装置２１の制御により噴射装置２２を駆動して、害虫忌避成分を含んだ害虫駆除剤を噴射する。この害虫駆除剤の噴射により、乗りかご１１内に入り込んだ虫を駆除して、乗りかご１１内の快適な空間を確保することができる。【選択図】      図１
2006096483.tif 000002
【特許請求の範囲】
【請求項１】
乗りかご内に害虫駆除剤を噴射する噴射手段と、
上記乗りかご内に設置された特定のボタンと、
この特定のボタンの操作があったときに、上記害虫駆除剤を噴射するように上記噴射手段の噴射動作を制御する制御手段と
を具備したことを特徴とするエレベータの害虫駆除システム。
【請求項２】
上記制御手段は、上記特定のボタンの操作があったときに、上記害虫駆除剤を所定時間だけ一時的に噴射するように上記噴射手段の噴射動作を制御することを特徴とする請求項１記載のエレベータの害虫駆除システム。
【請求項３】
上記制御手段は、上記乗りかごの運転開始に伴い上記害虫駆除剤を第１のレベルで連続的に噴射し、その運転中に上記特定のボタンの操作があったときに上記害虫駆除剤を上記第１のレベルよりも噴射力の高い第２のレベルで一時的に噴射するように上記噴射手段の噴射動作を制御することを特徴とする請求項１記載のエレベータの害虫駆除システム。
【請求項４】
乗りかご内に害虫駆除剤を噴射する噴射手段と、
上記乗りかごの運転状態を検出する運転検出手段と、
この運転検出手段によって検出された上記乗りかごの運転状態に基づいて上記噴射手段の噴射レベルを切り替える制御手段と
を具備したことを特徴とするエレベータの害虫駆除システム。
【請求項５】
上記制御手段は、上記運転検出手段によって上記乗りかごが待機状態であることが検出された場合に上記害虫駆除剤を第１のレベルで連続的に噴射し、上記運転検出手段によって上記乗りかごが移動状態であることが検出された場合に上記害虫駆除剤を上記第１のレベルよりも噴射力の高い第２のレベルで連続的に噴射するように上記噴射手段の噴射レベルを切り替えることを特徴とする請求項４記載のエレベータの害虫駆除システム。
【請求項６】
乗りかご内に害虫駆除剤を噴射する噴射手段と、
上記乗りかごの積載荷重を検出する荷重検出手段と、
この荷重検出手段によって検出された上記乗りかごの積載荷重に基づいて上記噴射手段の噴射レベルを切り替える制御手段と
を具備したことを特徴とするエレベータの害虫駆除システム。
【請求項７】
上記制御手段は、上記荷重検出手段によって検出された上記乗りかごの積載荷重が所定値以上であった場合に上記害虫駆除剤を第１のレベルで連続的に噴射し、上記荷重検出手段によって検出された上記乗りかごの積載荷重が上記所定値より少なかった場合に上記害虫駆除剤を上記第１のレベルよりも噴射力の高い第２のレベルで連続的に噴射するように上記噴射手段の噴射レベルを切り替えることを特徴とする請求項６記載のエレベータの害虫駆除システム。
【請求項８】
上記乗りかごの運転状態を検出する運転検出手段を備え、
上記制御手段は、上記運転検出手段によって上記乗りかごが待機状態であることが検出された場合に上記害虫駆除剤を上記第１のレベルあるいは上記第１のレベルよりもさらに低いレベルで連続的に噴射するように上記噴射手段の噴射レベルを切り替えることを特徴とする請求項６記載のエレベータの害虫駆除システム。
【請求項９】
上記噴射手段は、上記乗りかごのドアに向けて上記害虫駆除剤を噴射するように設置されていることを特徴とする請求項１乃至８のいずれか１つに記載のエレベータの害虫駆除システム。
【発明の詳細な説明】
【技術分野】
【０００１】
本発明は、エレベータの乗りかご内に入り込んだ虫を駆除するための害虫駆除システムに関する。
【背景技術】
【０００２】
エレベータの乗りかごは、乗客を目的階まで運ぶための交通手段であり、衛生面などに気を使う部分でもある。ところが、乗りかごの運転中に、例えば乗りかごのドアの開閉時や天井の照明器具の隙間、通気孔などから、例えば蛾や蠅、蚊などの害虫と呼ばれる虫が入り込むことがあり、乗客に不快感を与えることがある。
【０００３】
従来、エレベータの害虫対策として種々の提案がなされているが、例えば超音波を乗場戸に向けて発振したり、通気孔に網を覆ったり、蛍光灯を紫外線吸収性透過膜で覆うなど、いずれも虫がエレベータの乗りかごに寄って来ないようにする、乗りかご内に侵入しないようにするものであり、乗りかご内に入り込んだ虫を駆除するものではない（例えば、特許文献１〜３参照）。
【特許文献１】特開平５−６８４６１号公報
【特許文献２】特開平８−１４３２４８公報
【特許文献３】特開平８−１４３２４９公報
【発明の開示】
【発明が解決しようとする課題】
【０００４】
上述したように、乗りかごの運転中に蛾や蠅、蚊などの虫が入り込むことがあった。乗りかご内に虫が入り込むと、なかなか外に出ていかず、また、人的に追い払うことも難しい。この場合、乗りかごが移動している間は密閉状態にあるため、たとえ１匹でも虫が乗りかご内に入り込んでいると、乗客に不快感を与えてしまう問題がある。
【０００５】
本発明は上記のような点に鑑みなされたもので、乗りかご内に虫が入り込んだ場合にこれを駆除して乗りかご内の快適な空間を確保することのできるエレベータの害虫駆除システムを提供することを目的とする。
【課題を解決するための手段】
【０００６】
本発明のエレベータの害虫駆除システムは、乗りかご内に害虫駆除剤を噴射する噴射手段と、上記乗りかご内に設置された特定のボタンと、この特定のボタンの操作があったときに、上記害虫駆除剤を噴射するように上記噴射手段の噴射動作を制御する制御手段とを具備して構成される。
【０００７】
このような構成によれば、乗りかご内に虫が入り込んだ場合に、ボタン操作により害虫駆除剤を噴射して駆除することができる。
【０００８】
また、上記エレベータの害虫駆除システムにおいて、上記制御手段は、上記特定のボタンの操作があったときに、上記害虫駆除剤を所定時間だけ一時的に噴射するように上記噴射手段の噴射動作を制御することを特徴とする。
【０００９】
このような構成によれば、乗りかご内に虫が入り込んだ場合に、ボタン操作により害虫駆除剤を所定時間だけ一時的に噴射して駆除することができる。
【００１０】
また、上記エレベータの害虫駆除システムにおいて、上記制御手段は、上記乗りかごの運転開始に伴い上記害虫駆除剤を第１のレベルで連続的に噴射し、その運転中に上記特定のボタンの操作があったときに上記害虫駆除剤を上記第１のレベルよりも噴射力の高い第２のレベルで一時的に噴射するように上記噴射手段の噴射動作を制御することを特徴とする。
【００１１】
このような構成によれば、乗りかごの運転開始に伴い害虫駆除剤が第１のレベルで連続的に噴射することで、乗りかご内への虫の侵入を防止でき、また、乗りかご内に虫が入り込んだ場合にはボタン操作により害虫駆除剤を第２のレベルで一時的に強く噴射することで駆除することができる。
【００１２】
本発明のエレベータの害虫駆除システムは、乗りかご内に害虫駆除剤を噴射する噴射手段と、上記乗りかごの運転状態を検出する運転検出手段と、この運転検出手段によって検出された上記乗りかごの運転状態に基づいて上記噴射手段の噴射レベルを切り替える制御手段とを具備して構成される。
【００１３】
このような構成によれば、乗りかごの運転状態に応じた噴射レベルで害虫駆除剤を効率的に噴射して乗りかご内に入り込んだ虫を駆除することができる。
【００１４】
また、上記エレベータの害虫駆除システムにおいて、上記制御手段は、上記運転検出手段によって上記乗りかごが待機状態であることが検出された場合に上記害虫駆除剤を第１のレベルで連続的に噴射し、上記運転検出手段によって上記乗りかごが移動状態であることが検出された場合に上記害虫駆除剤を上記第１のレベルよりも噴射力の高い第２のレベルで連続的に噴射するように上記噴射手段の噴射レベルを切り替えることを特徴とする。
【００１５】
このような構成によれば、乗りかごが待機状態であるときに害虫駆除剤を第１のレベルで連続的に噴射することで、乗りかご内への虫の侵入を防止でき、また、乗りかごが移動状態であれば害虫駆除剤を第２のレベルで連続的に強くに噴射することで、乗りかご内に入り込んだ虫を駆除することができる。
【００１６】
本発明のエレベータの害虫駆除システムは、乗りかご内に害虫駆除剤を噴射する噴射手段と、上記乗りかごの積載荷重を検出する荷重検出手段と、この荷重検出手段によって検出された上記乗りかごの積載荷重に基づいて上記噴射手段の噴射レベルを切り替える制御手段とを具備して構成される。
【００１７】
このような構成によれば、乗りかごの積載荷重に応じた噴射レベルで害虫駆除剤が効率的に噴射されて害虫が駆除される。
【００１８】
また、上記エレベータの害虫駆除システムにおいて、上記制御手段は、上記荷重検出手段によって検出された上記乗りかごの積載荷重が所定値以上であった場合に上記害虫駆除剤を第１のレベルで連続的に噴射し、上記荷重検出手段によって検出された上記乗りかごの積載荷重が上記所定値より少なかった場合に上記害虫駆除剤を上記第１のレベルよりも噴射力の高い第２のレベルで連続的に噴射するように上記噴射手段の噴射レベルを切り替えることを特徴とする。
【００１９】
このような構成によれば、乗りかごの積載荷重が所定値以上であった場合には乗客人数が多いものとして害虫駆除剤を第１のレベルで連続的に噴射することで、乗客に害虫駆除剤が直接降りかからないようにすることができ、また、乗りかごの積載荷重が所定値より少なかった場合には乗客人数が少ないものとして害虫駆除剤を第２のレベルで連続的に強く噴射することで、乗りかご内に入り込んだ虫を駆除することができる。
【００２０】
また、上記エレベータの害虫駆除システムにおいて、上記乗りかごの運転状態を検出する運転検出手段を備え、上記制御手段は、上記運転検出手段によって上記乗りかごが待機状態であることが検出された場合に上記害虫駆除剤を上記第１のレベルあるいは上記第１のレベルよりもさらに低いレベルで連続的に噴射するように上記噴射手段の噴射レベルを切り替えることを特徴とする。
【００２１】
このような構成によれば、乗りかごが待機状態であるときに害虫駆除剤を第１のレベルあるいはさらに低いレベルで連続的に噴射することで、乗りかご内への虫の侵入を防止できる。
【００２２】
さらに、上記エレベータの害虫駆除システムにおいて、上記噴射手段を上記乗りかごのドアに向けて上記害虫駆除剤を噴射するように設置しておく構成とすれば、乗りかご内に入り込んだ虫を害虫駆除剤の噴射によりドアから外に追い払うことができる。
【発明の効果】
【００２３】
本発明によれば、乗りかご内にボタン操作によって害虫駆除剤を噴射するシステムを設けたことで、乗りかご内に虫が入り込んだ場合に害虫駆除剤を噴射して駆除することができ、その結果、乗りかご内の快適な空間を確保することができる。
【００２４】
また、害虫駆除剤の噴射レベルを乗りかごの運転状態や積載荷重に応じて段階的に切り替えるようにしたことで、害虫駆除剤を効率的に噴射して乗りかご内に入り込んだ虫を駆除することができる。
【発明を実施するための最良の形態】
【００２５】
以下、図面を参照して本発明の実施形態を説明する。
【００２６】
（第１の実施形態）
図１は本発明の第１の実施形態に係るエレベータの害虫駆除システムの構成を模式的に示す図、図２はその害虫駆除システムが適用される乗りかご内の噴射装置設置面の様子を示す図である。
【００２７】
図１において、図中の１１はエレベータの乗りかごである。この乗りかご１１は、機械室などに設置されたエレベータ制御装置１０の下で図示せぬ巻上機の駆動により昇降路内を昇降動作し、各階床で乗客を乗せて目的の階まで運ぶ。この乗りかご１１の正面１１ａにはドア１２が開閉自在に設けられている。乗客は乗りかご１１が各階の乗場に着床したときに、このドア１２を通じて出入りすることになるが、そのときに例えば蛾や蠅、蚊などの害虫と呼ばれる虫が入り込むことがある。また、天井面などに設置された図示せぬ照明機器の隙間や通気孔などから入り込むこともある。
【００２８】
乗りかご１１には、このような虫を駆除するための害虫駆除システムが備えられている。この害虫駆除システムは、害虫駆除システム制御装置２１、噴射装置２２、噴射ボタン２３から構成される。
【００２９】
害虫駆除システム制御装置２１は、本システムを制御するための制御装置であり、乗りかご１１に設けられている。この害虫駆除システム制御装置２１は、上記エレベータ制御装置１０と共に、プログラムによってその動作が制御されるコンピュータによって構成される。乗りかご１１の通常運転を開始するときに、エレベータ制御装置１０から害虫駆除システム制御装置２１に対して起動指令があり、害虫駆除システムがＯＮする。
【００３０】
なお、「通常運転」とは、緊急時に乗りかご１１を退避階へ直行させるなどの特殊な運転を除き、エレベータの起動により、乗りかご１１を乗場呼び（乗場に設置された呼びボタンの操作によって発生する呼び信号）やかご呼び（乗りかご内に設置された行先階指定用のボタン操作によって発生する呼び信号）に応答させて各階床間を移動させて乗客を運ぶ運転のことである。
【００３１】
また、「害虫駆除システムがＯＮする」とは、いつでも噴射装置２２から害虫駆除剤を噴射可能な状態を言う。第１の実施形態では、乗りかご１１内に設置された噴射ボタン２３の押下操作により害虫駆除剤を噴射する構成になっている。
【００３２】
噴射ボタン２３は、乗客が操作し易い場所、例えば乗りかご１１の正面１１ａのドア１２の近傍などに設置される。この噴射ボタン２３を１回押下すると、所定の時間だけ噴射装置２２から害虫駆除剤が噴射される。
【００３３】
上記害虫駆除剤としては、かご室という密閉された空間を考慮すると、人体に影響がなく、無臭あるいは微臭であることが好ましい。また、上記害虫駆除剤は殺虫能力よりも駆除能力を優先して作られており、害虫の嫌う忌避成分が含まれている。
【００３４】
また、乗りかご１１のドア１２が開いているときに、そこから虫を追い払うために、図２に示すように、噴射装置２２の噴射口２２ａ，２２ｂがドア１２との対向面１１ｂに設置される。この場合、害虫駆除剤が乗客の身体に直接降りかからないようにするため、乗客の頭よりも上の位置つまり乗りかご１１内の上記対向面１１ｂの天井面近くに噴射口２２ａ，２２ｂをドア１２の方向に向けて設置しておくことが好ましい。
【００３５】
なお、図中の２４は乗りかご１１の積載荷重を検出する荷重センサであり、害虫駆除システム制御装置２１に接続されている。この荷重センサ２４は後述する他の実施形態で使用する。
【００３６】
次に、第１の実施形態の動作について説明する。  
図３は第１の実施形態におけるエレベータの害虫駆除システムの動作を示すフローチャートである。
【００３７】
エレベータの起動により、乗りかご１１の通常運転が開始されると（ステップＡ１１のＹｅｓ）、エレベータ制御装置１０から害虫駆除システム制御装置２１に対して起動指令があり、害虫駆除システムがＯＮする（ステップＡ１２）。
【００３８】
ここで、乗りかご１１のドア１２が開いたときなどに虫が入り込んだ場合に、乗客が乗りかご１１内に設置された噴射ボタン２３を押下操作すると（ステップＡ１３のＹｅｓ）、その操作信号が害虫駆除システム制御装置２１に与えられる。これにより、害虫駆除システム制御装置２１では、所定の時間（例えば５秒間）、害虫駆除剤を噴射するように噴射装置２２の噴射動作を制御する（ステップＡ１４）。
【００３９】
図２に示したように、噴射装置２２の噴射口２２ａ，２２ｂはドア１２に向けて設置されている。したがって、乗りかご１１がある階で着床してドア１２が開いたときに噴射ボタン２３を押下すれば、噴射口２２ａ，２２ｂからドア１２に向けて噴射される害虫駆除剤によって、乗りかご１１内に入り込んでいた虫を外に追い払うことができる。なお、このときの害虫駆除剤の噴射力や噴射量は、乗りかご１１の容量などに基づいて予め決められている。
【００４０】
また、所定の運転サービス時間が終わるなどして、管理者が運転停止操作を行うと（ステップＡ１５のＹｅｓ）、エレベータ制御装置１０は乗りかご１１の運転を停止し、その際に害虫駆除システム制御装置２１に対して停止指令を出すことで、害虫駆除システムをＯＦＦにする（ステップＡ１６）。この状態では、噴射ボタン２３を押下操作しても噴射装置２２は駆動されず、害虫駆除剤は噴射されない。
【００４１】
このように、乗りかご１１内に虫が入り込んだ場合に、噴射ボタン２３の押下操作により害虫駆除剤を噴射して駆除することができる。この場合、乗客の判断で害虫駆除剤を任意に噴射できるので、例えば「ドア開」ボタンの操作などによりドア１２を開いた状態にして、虫が出ていくまで害虫駆除剤を噴射するといった使い方ができる。
【００４２】
なお、上記第１の実施形態では、噴射ボタン２３の１回の押下により害虫駆除剤を所定時間の間だけ噴射するものとしたが、例えば噴射ボタン２３が押下されている間、害虫駆除剤を連続的に噴射するような構成でも良い。
【００４３】
（第２の実施形態）
次に、本発明の第２の実施形態について説明する。
【００４４】
上記第１の実施形態では、噴射ボタン２３が押下操作されたときに害虫駆除剤を噴射するものとしたが、第２の実施形態では、乗りかご１１の運転開始に伴い害虫駆除剤を弱めに噴射した状態にし、乗客が噴射ボタン２３を押下操作したときに噴射レベルを一時的に強めに切り替えることを特徴とするものである。
【００４５】
なお、害虫駆除システムとしての基本的な構成は図１と同様であるため、ここでは処理動作についてのみ説明する。
【００４６】
図４は本発明の第２の実施形態におけるエレベータの害虫駆除システムの動作を示すフローチャートである。
【００４７】
エレベータの起動により、乗りかご１１の通常運転が開始されると（ステップＢ１１のＹｅｓ）、エレベータ制御装置１０から害虫駆除システム制御装置２１に対して起動指令があり、害虫駆除システムがＯＮする（ステップＢ１２）。これにより、害虫駆除システム制御装置２１は、まず、予め設定された噴射レベル弱（第１のレベル）で害虫駆除剤を連続的に噴射するように噴射装置２２の噴射動作を制御する（ステップＢ１３）。
【００４８】
上記噴射レベル弱（第１のレベル）は、乗客に不快感を与えない程度の弱い力で害虫駆除剤を噴射するレベルである。このように、乗りかご１１の運転中に常に害虫駆除剤を噴射しておくことで、乗りかご１１内への虫の侵入を防止することができる。なお、害虫駆除剤は人体に影響のない無害なものを使用しているため、乗りかご１１内に常に噴射されていても問題なく、また、無臭のものを使用すれば、乗客が搭乗してきた場合に不快感を与えることもない。
【００４９】
また、それでも乗りかご１１内に虫が入り込んでしまった場合には、噴射ボタン２３を押下操作すれば良い。すなわち、乗客が乗りかご１１内に設置された噴射ボタン２３を押下操作すると（ステップＢ１４のＹｅｓ）、その操作信号が害虫駆除システム制御装置２１に与えられる。これにより、害虫駆除システム制御装置２１では、噴射レベル強（第２のレベル）で所定の時間（例えば５秒間）だけ害虫駆除剤を噴射するように噴射装置２２の噴射動作を制御する（ステップＢ１５）。
【００５０】
上記噴射レベル強（第２のレベル）は、上記噴射レベル弱（第１のレベル）よりも噴射力が強く設定されており、例えば上記噴射レベル弱（第１のレベル）の噴射力の２倍のレベルである。このように、噴射レベルを上げて害虫駆除剤を噴射することで、乗りかご１１内に入り込んだ虫を駆除することができる。この場合、図２に示したように、噴射装置２２の噴射口２２ａ，２２ｂはドア１２に向けて設置されているので、乗りかご１１の着床によりドア１２が開いたときに噴射ボタン２３を押下すれば、噴射口２２ａ，２２ｂからドア１２に向けて噴射レベル強（第２のレベル）で噴射される害虫駆除剤によって虫を外に追い払うことができる。上記所定時間の経過後、噴射レベルは元の弱（第１のレベル）に戻る。
【００５１】
また、所定の運転サービス時間が終わるなどして、管理者が運転停止操作を行うと（ステップＢ１６のＹｅｓ）、エレベータ制御装置１０は乗りかご１１の運転を停止し、その際に害虫駆除システム制御装置２１に対して停止指令を出すことで、害虫駆除システムをＯＦＦにする（ステップＢ１７）。この状態では、噴射ボタン２３を押下操作しても噴射装置２２は駆動されず、害虫駆除剤は噴射されない。
【００５２】
このように、乗りかご１１の運転中に噴射レベル弱（第１のレベル）で害虫駆除剤を噴射しておくことで乗りかご１１内への虫の侵入を防止でき、さらに、乗りかご１１内に虫が侵入した場合には噴射ボタン２３の押下操作により噴射レベル強（第２のレベル）で害虫駆除剤を一時的に強めに噴射することで虫を追い払うことができる。
【００５３】
なお、この第２の実施形態においても、上記第１の実施形態と同様に、噴射ボタン２３の１回の押下により害虫駆除剤を所定時間の間だけ噴射することに限らず、例えば噴射ボタン２３が押下されている間、害虫駆除剤を連続的に噴射するような構成でも良い。
【００５４】
（第３の実施形態）
次に、本発明の第３の実施形態について説明する。
【００５５】
第３の実施形態では、乗りかご１１の運転状態に応じて害虫駆除剤の噴射レベルを自動的に切り替えることを特徴とする。
【００５６】
なお、害虫駆除システムとしての基本的な構成は図１と同様である。ただし、ここでは噴射ボタン２３を使用せず、害虫駆除システム制御装置２１は、エレベータ制御装置１０から乗りかご１１の運転状態を示す情報を取得することで噴射装置２２の駆動制御を行う。
【００５７】
以下に、第３の実施形態としての処理動作について説明する。  
図５は本発明の第３の実施形態におけるエレベータの害虫駆除システムの動作を示すフローチャートである。
【００５８】
エレベータの起動により、乗りかご１１の通常運転が開始されると（ステップＣ１１のＹｅｓ）、エレベータ制御装置１０から害虫駆除システム制御装置２１に対して起動指令があり、害虫駆除システムがＯＮする（ステップＣ１２）。これにより、害虫駆除システム制御装置２１は、まず、乗りかご１１の運転状態を検出する（ステップＣ１３）。
【００５９】
上記乗りかご１１の運転状態としては、「待機状態」と「移動状態」に分けられる。「待機状態」とは、乗場呼びやかご呼びがない状態、すなわち、乗りかご１１がある階床で呼びを待って停止している状態である。これに対し、「移動状態」とは、乗りかご１１が呼びに対応した階床に向かって移動している状態である。この乗りかご１１の運転状態を示す情報は、エレベータ制御装置１０から害虫駆除システム制御装置２１に対して与えられている。
【００６０】
ここで、乗りかご１１が待機状態であった場合、つまり、ある階床で停止している場合には（ステップＣ１４のＹｅｓ）、害虫駆除システム制御装置２１は、予め設定された噴射レベル弱（第１のレベル）で害虫駆除剤を連続的に噴射するように噴射装置２２の噴射動作を制御する（ステップＣ１５）。
【００６１】
一方、乗りかご１１が移動状態であった場合、つまり、乗りかご１１が呼びに対応した階床に向かって移動中であった場合には（ステップＣ１４のＮｏ）、害虫駆除システム制御装置２１は、予め設定された噴射レベル強（第２のレベル）で害虫駆除剤を連続的に噴射するように噴射装置２２の噴射動作を制御する（ステップＣ１６）。
【００６２】
上記第２の実施形態で説明したように、上記噴射レベル弱（第１のレベル）は、乗客に不快感を与えない程度の弱い力で害虫駆除剤を噴射するレベルである。また、上記噴射レベル強（第２のレベル）は、上記噴射レベル弱（第１のレベル）よりも噴射力が強く設定されている。
【００６３】
この場合、乗りかご１１が待機状態であれば、乗りかご１１内は無人であり、空気の対流が少ない。したがって、上記噴射レベル弱（第１のレベル）で害虫駆除剤を弱めに噴射していても十分に行き渡り、乗りかご１１内への虫の侵入を防止することができる。また、乗りかご１１が移動状態であるときには、上記噴射レベル強（第２のレベル）で害虫駆除剤を強めにして噴射することで、ドア１２の開閉などにより害虫駆除剤の効力が薄まることを補うことができ、乗りかご１１内に虫が入り込んでしまった場合にはこれを駆除することができる。
【００６４】
また、所定の運転サービス時間が終わるなどして、管理者が運転停止操作を行うと（ステップＣ１７のＹｅｓ）、エレベータ制御装置１０は乗りかご１１の運転を停止し、その際に害虫駆除システム制御装置２１に対して停止指令を出すことで、害虫駆除システムをＯＦＦにする（ステップＣ１８）。
【００６５】
このように、乗りかご１１の運転状態に応じて噴射装置２２の噴射レベルを段階的に切り替えることで、乗りかご１１内に害虫駆除剤を効率的に噴射して害虫を駆除することができる。
【００６６】
（第４の実施形態）
次に、本発明の第４の実施形態について説明する。
【００６７】
第４の実施形態では、乗りかご１１の積載荷重に応じて害虫駆除剤の噴射レベルを自動的に切り替えることを特徴とする。
【００６８】
なお、害虫駆除システムとしての基本的な構成は図１と同様である。ただし、ここでは噴射ボタン２３を使用せず、害虫駆除システム制御装置２１は、乗りかご１１の下部に設置された荷重センサ２４から乗りかご１１の積載荷重を示す情報を取得することで噴射装置２２の駆動制御を行う。
【００６９】
以下に、第４の実施形態としての処理動作について説明する。  
図６は本発明の第４の実施形態におけるエレベータの害虫駆除システムの動作を示すフローチャートである。
【００７０】
エレベータの起動により、乗りかご１１の通常運転が開始されると（ステップＤ１１のＹｅｓ）、エレベータ制御装置１０から害虫駆除システム制御装置２１に対して起動指令があり、害虫駆除システムがＯＮする（ステップＤ１２）。これにより、害虫駆除システム制御装置２１は、まず、乗りかご１１の積載荷重を検出する（ステップＤ１３）。
【００７１】
上記乗りかご１１の積載荷重は、手荷物のなどの重さにも影響するが、基本的には乗客の人数に応じて変動し、乗客数が多ければ荷重値が多くなり、乗客数が少なければ荷重値が少なくなる。この乗りかご１１の積載荷重を示す情報は、乗りかご１１の下部に設置された荷重センサ２４から害虫駆除システム制御装置２１に対して与えられている。
【００７２】
ここで、乗りかご１１の積載荷重が所定値以上であった場合（ステップＤ１４のＹｅｓ）、害虫駆除システム制御装置２１は、乗客人数が多いものと判断して、予め設定された噴射レベル弱（第１のレベル）で害虫駆除剤を連続的に噴射するように噴射装置２２の噴射動作を制御する（ステップＤ１６）。
【００７３】
また、乗りかご１１の積載荷重が所定値より少なかった場合（ステップＤ１４のＮｏ）、害虫駆除システム制御装置２１は、乗客人数が少ないものと判断して、予め設定された噴射レベル強（第２のレベル）で害虫駆除剤を連続的に噴射するように噴射装置２２の噴射動作を制御する（ステップＤ１５）。
【００７４】
上記第２の実施形態で説明したように、上記噴射レベル弱（第１のレベル）は、乗客に不快感を与えない程度の弱い力で害虫駆除剤を噴射するレベルである。また、上記噴射レベル強（第２のレベル）は、上記噴射レベル弱（第１のレベル）よりも噴射力が強く設定されたレベルである。
【００７５】
図７に示すように、乗りかご１１内の乗客人数が少ないときには、多少強めに害虫駆除剤を噴射しても乗客に害虫駆除剤が直接降りかかる可能性は低い。よって、害虫駆除を優先して上記噴射レベル強（第２のレベル）で害虫駆除剤を強めに噴射する。一方、図８に示すように、乗客人数が多いときには、害虫駆除剤を強めに噴射すると、乗客に害虫駆除剤が直接降りかかる可能性が高く、乗客に不快な思いをさせてしまう。そこで、乗客人数が多いときには乗り心地を優先して上記噴射レベル弱（第１のレベル）で害虫駆除剤を弱めに噴射する。
【００７６】
また、所定の運転サービス時間が終わるなどして、管理者が運転停止操作を行うと（ステップＤ１７のＹｅｓ）、エレベータ制御装置１０は乗りかご１１の運転を停止し、その際に害虫駆除システム制御装置２１に対して停止指令を出すことで、害虫駆除システムをＯＦＦにする（ステップＤ１８）。
【００７７】
このように、乗りかご１１の積載荷重に応じて噴射装置２２の噴射レベルを段階的に切り替えることで、乗りかご１１内の乗客人数が多い場合と少ない場合とで害虫駆除剤を加減して害虫を駆除することができる。
【００７８】
なお、上記第４の実施形態では、乗りかご１１の積載荷重に応じて噴射レベルを２段階で切り替えるものとしたが、積載荷重の値をさらに細かに分類して、例えば積載荷重値Ｗ１のときにレベルＬ１，積載荷重値Ｗ２のときにレベルＬ２，積載荷重値Ｗ３のときにレベルＬ３といったように、複数の段階で切り替えるようにしても良い。
【００７９】
（第５の実施形態）
次に、本発明の第５の実施形態について説明する。
【００８０】
第５の実施形態では、上記第４の実施形態と同様に乗りかご１１の積載荷重に応じて害虫駆除剤の噴射レベルを自動的に切り替えるものであるが、さらに乗りかご１１が待機状態であるときの噴射レベルも考慮することを特徴としている。
【００８１】
なお、害虫駆除システムとしての基本的な構成は図１と同様である。ただし、ここでは噴射ボタン２３を使用せず、害虫駆除システム制御装置２１は、乗りかご１１の下部に設置された荷重センサ２４から乗りかご１１の積載荷重を示す情報を取得することで噴射装置２２の駆動制御を行う。
【００８２】
以下に、第５の実施形態としての処理動作について説明する。  
図９は本発明の第５の実施形態におけるエレベータの害虫駆除システムの動作を示すフローチャートである。
【００８３】
エレベータの起動により、乗りかご１１の通常運転が開始されると（ステップＥ１１のＹｅｓ）、エレベータ制御装置１０から害虫駆除システム制御装置２１に対して起動指令があり、害虫駆除システムがＯＮする（ステップＥ１２）。これにより、害虫駆除システム制御装置２１は、まず、乗りかご１１の運転状態を検出する（ステップＥ１３）。
【００８４】
上記第３の実施形態で説明したように、上記乗りかご１１の運転状態としては、「待機状態」と「移動状態」に分けられる。「待機状態」とは、乗場呼びやかご呼びがない状態、すなわち、乗りかご１１がある階床で呼びを待って待機している状態である。これに対し、「移動状態」とは、乗りかご１１が呼びに対応した階床に向かって移動している状態である。この乗りかご１１の運転状態を示す情報は、エレベータ制御装置１０から害虫駆除システム制御装置２１に対して与えられている。
【００８５】
ここで、乗りかご１１が待機状態であった場合、つまり、ある階床で停止している場合には（ステップＥ１４のＹｅｓ）、害虫駆除システム制御装置２１は、予め設定された噴射レベル弱（第１のレベル）で害虫駆除剤を連続的に噴射するように噴射装置２２の噴射動作を制御する（ステップＥ１５）。このように、乗りかご１１が待機状態であるときに、上記噴射レベル弱（第１のレベル）で害虫駆除剤を噴射しておけば、乗りかご１１内が無人で空気の対流が少ないため、噴射力が弱くても害虫駆除剤が十分に行き渡り、照明機器の隙間などから虫が侵入することを防ぐことができる。
【００８６】
一方、乗りかご１１が移動状態であった場合、つまり、乗りかご１１が呼びに対応した階床に向かって移動中であった場合には（ステップＥ１４のＮｏ）、害虫駆除システム制御装置２１は、乗りかご１１の積載荷重を検出する（ステップＥ１６）。
【００８７】
以後は、上記第４の実施形態と同様であり、害虫駆除システム制御装置２１は、乗りかご１１の積載荷重に応じて害虫駆除剤の噴射レベルを切り替えて噴射するように噴射装置２２の噴射動作を制御する（ステップＥ１７〜Ｅ１９）。この場合、乗りかご１１の積載荷重が所定値以上であれば、乗客人数が多いものと判断して、乗り心地を優先するべく噴射レベル弱（第１のレベル）で害虫駆除剤を連続的に噴射するように制御する。また、乗りかご１１の積載荷重が所定値より少なければ、乗客人数が少ないものと判断して、害虫駆除を優先して噴射レベル強（第２のレベル）で害虫駆除剤を連続的に噴射するように制御する。
【００８８】
また、所定の運転サービス時間が終わるなどして、管理者が運転停止操作を行うと（ステップＥ２０のＹｅｓ）、エレベータ制御装置１０は乗りかご１１の運転を停止し、その際に害虫駆除システム制御装置２１に対して停止指令を出すことで、害虫駆除システムをＯＦＦにする（ステップＥ２１）。
【００８９】
このように、乗りかご１１が待機状態であれば、噴射レベルを弱めにして害虫駆除剤を噴射しておくことで虫の侵入を防止できると共に、乗りかご１１が移動状態であれば、乗りかご１１の積載荷重に応じて噴射レベルを段階的に切り替えることで、乗りかご１１内の乗客人数が多い場合と少ない場合とで害虫駆除剤を加減して害虫を駆除することができる。
【００９０】
なお、図９に示した処理では、乗りかご１１が待機状態のときに、噴射レベル弱（第１のレベル）で害虫駆除剤を噴射するものとしたが、乗りかご１１内が無人であり、空気の対流が少ないことを考慮すれば、上記噴射レベル弱（第１のレベル）よりもさらに低いレベル（例えば、噴射レベル弱（第１のレベル）の１／２）に設定して害虫駆除剤を噴射することでも良い。
【００９１】
また、この第５の実施形態においても、上記第４の実施形態と同様に、乗りかご１１の積載荷重に応じて噴射レベルを２段階で切り替える他に、積載荷重の値をさらに細かに分類して、例えば積載荷重値Ｗ１のときにレベルＬ１，積載荷重値Ｗ２のときにレベルＬ２，積載荷重値Ｗ３のときにレベルＬ３といったように、複数の段階で切り替えるようにしても良い。
【００９２】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９３】
【図１】本発明の第１の実施形態に係るエレベータの害虫駆除システムの構成を模式的に示す図。
【図２】上記害虫駆除システムが適用される乗りかご内の噴射装置設置面の様子を示す図。
【図３】同実施形態におけるエレベータの害虫駆除システムの動作を示すフローチャート。
【図４】本発明の第２の実施形態におけるエレベータの害虫駆除システムの動作を示すフローチャート。
【図５】本発明の第３の実施形態におけるエレベータの害虫駆除システムの動作を示すフローチャート。
【図６】本発明の第４の実施形態におけるエレベータの害虫駆除システムの動作を示すフローチャート。
【図７】同実施形態における乗りかごの乗客人数が少ない場合の噴射レベルを説明するための図。
【図８】同実施形態における乗りかごの乗客人数が多い場合の噴射レベルを説明するための図。
【図９】本発明の第５の実施形態におけるエレベータの害虫駆除システムの動作を示すフローチャート。
【符号の説明】
【００９４】
１０…エレベータ制御装置、１１…乗りかご、１１ａ…正面、１１ｂ…ドア対向面、１２…ドア、２１…害虫駆除システム制御装置、２２…噴射装置、２２，２２ｂ…噴射口、２３…噴射ボタン、２４…荷重センサ。
【図１】
2006096483.tif 000003
【図２】
2006096483.tif 000004
【図３】
2006096483.tif 000005
【図４】
2006096483.tif 000006
【図５】
2006096483.tif 000007
【図６】
2006096483.tif 000008
【図７】
2006096483.tif 000009
【図８】
2006096483.tif 000010
【図９】
2006096483.tif 000011